(57)【要約】【課題】手間や時間をかけることなく容器内の圧力を低くすることができると共に、ユーザーが容器内の圧力を確認し、所定の圧力を長時間維持させるなどの機能性を向上させることができる減圧容器を提供することを目的とする。【解決手段】上記の課題を解決するために、本発明は、容器内の圧力を低くする減圧容器において、一つの空間と一つの開放端を有する桶と、前記開放端を閉じることができ、前記空間を密封させるカバーと、前記空間から気体を抜く空気ポンプと、空気ポンプのＯＮ、ＯＦＦを制御する圧力起動式の切り替え装置とを有し、前記切り替え装置は、前記空間における内圧を検知し、該内圧が所定の第一圧力値より大きいとき、前記空気ポンプを起動させ、前記内圧が所定の第二圧力より小さいとき、前記空気ポンプを停止し、前記第二圧力値は前記第一圧力値より小さいように構成される。【選択図】　　　　図２
2004131127.tif 000002
【特許請求の範囲】
【請求項１】
容器内の圧力を低くする減圧容器において、
一つの空間と一つの開放端を有する桶と、
前記開放端を閉じることができ、前記空間を密封させるカバーと、
前記空間から気体を抜く空気ポンプと、
前記空気ポンプのＯＮ、ＯＦＦを制御する圧力起動式の切り替え装置とを有し、
前記切り替え装置は、前記空間における内圧を検知し、該内圧が所定の第一圧力値より大きいとき、前記空気ポンプを起動させ、前記内圧が所定の第二圧力より小さいとき、前記空気ポンプを停止し、
前記第二圧力値は前記第一圧力値より小さいことを特徴とする減圧容器。
【請求項２】
前記切り替え装置及び前記空気ポンプに電力を提供する電力ユニットを有することを特徴とする請求項１記載の減圧容器。
【請求項３】
前記電力ユニットは、ワイヤで前記空気ポンプと交流電源との間に接続されることを特徴とする請求項２記載の減圧容器。
【請求項４】
前記交流電源と前記空気ポンプとの間に設けられた一つのコネクターを有することを特徴とする請求項３記載の減圧容器。
【請求項５】
前記電力ユニットは、移動可能なように前記カバーに設置され、
前記電力ユニットは、直流を採用することを特徴とする請求項２乃至４いずれか一項記載の減圧容器。
【請求項６】
前記カバーは、一つの空間を有し、前記切り替え装置及び前記空気ポンプを収容することを特徴とする請求項１乃至５いずれか一項記載の減圧容器。
【請求項７】
前記第一圧力値及び前記第二圧力値を入力する入力装置を有することを特徴とする請求項１乃至５いずれか一項記載の減圧容器。
【請求項８】
前記入力装置は、前記桶に保存される物品の名称を入力することを特徴とする請求項７記載の減圧容器。
【請求項９】
容器内の圧力を低くする減圧容器において、
一つの空間と一つの開放端を有する桶と、
前記開放端を閉じることができ、前記空間を密封させるカバーと、
前記空間から気体を抜く空気ポンプと、
前記空気ポンプのＯＮ、ＯＦＦを制御する圧力起動式の切り替え装置とを有し、
前記切り替え装置は、前記カバーの開閉動作で招いた圧力差異を検知し、前記空気ポンプを起動して前記空間から気体を抜き、前記空間における内圧が所定の圧力値より小さい状態を検知したとき、前記空気ポンプを停止することを特徴とする減圧容器。
【請求項１０】
前記切り替え装置は、圧力値差異タイプの圧力感知伝送器及び制御チップを有し、
前記圧力感知伝送器は、前記空間まで伸ばされたセンサーを有し、該センサーにより前記空間の内圧を検知し、参考圧力と前記内圧との間の差異とに対応する電圧を前記制御チップへ出力することを特徴とする請求項９記載の減圧容器。
【請求項１１】
前記参考圧力は大気圧であることを特徴とする請求項９又は１０記載の減圧容器。
【請求項１２】
前記切り替え装置及び前記空気ポンプに電力を提供する電力ユニットを有することを特徴とする請求項９乃至１１いずれか一項記載の減圧容器。
【請求項１３】
前記電力ユニットは、ワイヤで前記空気ポンプと交流電源との間に接続されることを特徴とする請求項１２記載の減圧容器。
【請求項１４】
前記交流電源と前記空気ポンプとの間に設けられた一つのコネクターを有することを特徴とする請求項１３記載の減圧容器。
【請求項１５】
前記電力ユニットは、移動可能なように前記カバーに設置され、
前記電力ユニットは、直流を採用することを特徴とする請求項１２乃至１４いずれか一項記載の減圧容器。
【請求項１６】
前記カバーは、一つの空間を有し、前記切り替え装置及び前記空気ポンプを収容することを特徴とする請求項９乃至１５いずれか一項記載の減圧容器。
【請求項１７】
前記所定の圧力値を入力する入力装置を有することを特徴とする請求項９乃至１６いずれか一項記載の減圧容器。
【請求項１８】
前記入力装置は、前記桶に保存される物品の名称を入力することを特徴とする請求項１７記載の減圧容器。
【請求項１９】
前記カバーは、前記空気ポンプ及び前記切り替え装置を搭載した一枚の密封板を有し、
前記密封板は、前記空間を通過する第一貫通孔と第二貫通孔と、前記第一貫通孔を通過して前記空間まで伸ばされた第一気密パイプと、前記空気ポンプから前記第一貫通孔を通過して前記空間まで伸ばされた一本の空気パイプと、前記第二貫通孔を通過して前記空間まで伸ばされた第二気密パイプとを有することを特徴とする請求項９乃至１８いずれか一項記載の減圧容器。
【請求項２０】
前記密封板は、前記第一貫通孔を囲う第一桶形壁と、前記第二貫通孔を囲う第二桶形壁とを有し、
前記第一桶形壁は、前記空気ポンプに設けられた雄ねじに噛み合う第一雌ねじを有し、
前記第二桶形壁は、前記切り替え装置に設けられた雄ねじに噛み合う第二雌ねじを有することを特徴とする請求項１９記載の減圧容器。
【請求項２１】
前記切り替え装置は、第一位置と第二位置との間に切り替えられ、
前記第一位置では、前記カバーの開閉が圧力の差異を発生することにより前記空気ポンプが自動で前記空間の気体を抜き、
前記第二位置では、前記空間における内圧が所定の第二圧力値より大きいとき、前記空気ポンプが起動して前記空間の気体を抜くことを特徴とする請求項９乃至２０いずれか一項記載の減圧容器。
【発明の詳細な説明】
【０００１】
【発明の属する技術分野】
本発明は、減圧容器に係り、特に容器の内圧を予定値に維持するため、容器の圧力が所定値より高い場合に起動させる空気ポンプが設けられた減圧容器に関するものである。
【０００２】
【従来の技術】
従来、典型的に用いられる容器内部の圧力を低くする減圧容器は、ワンウェイバルブを有する構成とされている。ユーザーは手動で空気ポンプを操作し、ワンウェイバルブを経由して容器内の空気を抜く。これにより、減圧容器内の圧力が甚だ低い値、又はほとんど真空に近い状態になる。このような状態で容器内に物品を収納することにより、湿気や塵埃、殺菌の汚染などのリスクを防ぐことができ、物品の保存時間を延ばすことができる。
【０００３】
【発明が解決しようとする課題】
しかしながら、従来の減圧容器において、減圧容器内を真空に近い状態にする場合、ユーザーは手動で何度も空気ポンプを操作し、ワンウェイバルブを経由して容器内の空気を抜かなければならず、手間や時間がかかってしまうという問題点があった。
【０００４】
また、容器内の圧力を低くする過程で、容器内の圧力がどの程度なのかをユーザーは確認することができないという問題点があった。
【０００５】
また、減圧容器を完全に密封することができず、減圧容器に少しずつ空気が入ることにより容器内の圧力が高くなり、真空に近い状態を長時間保つことができないなど、機能性に欠けるという問題点があった。
【０００６】
よって、本発明は、上記の問題点を解決し、手間や時間をかけることなく容器内の圧力を低くすることができると共に、ユーザーが容器内の圧力を確認し、所定の圧力を長時間維持させるなどの機能性を向上させることができる減圧容器を提供することを目的とする。
【０００７】
【課題を解決するための手段】
上記課題を解決するため、本発明は、容器内の圧力を低くする減圧容器において、一つの空間と一つの開放端を有する桶と、前記開放端を閉じることができ、前記空間を密封させるカバーと、前記空間から気体を抜く空気ポンプと、空気ポンプのＯＮ、ＯＦＦを制御する圧力起動式の切り替え装置とを有し、前記切り替え装置は、前記空間における内圧を検知し、該内圧が所定の第一圧力値より大きいとき、前記空気ポンプを起動させ、前記内圧が所定の第二圧力より小さいとき、前記空気ポンプを停止し、前記第二圧力値は前記第一圧力値より小さいように構成される。
【０００８】
このような減圧容器では、一つの空間と一つの開放端を有する桶と、開放端を閉じることができ、空間を密封させるカバーと、空間から気体を抜く空気ポンプと、空気ポンプのＯＮ、ＯＦＦを制御する圧力起動式の切り替え装置とを有し、切り替え装置は、空間における内圧を検知し、該内圧が所定の第一圧力値より大きいときに空気ポンプを起動させ、内圧が所定の第二圧力より小さいときに空気ポンプを停止し、第二圧力値は第一圧力値より小さくすることにより、手間や時間をかけることなく容器内の圧力を容易に低くすることができ、所定の圧力を長時間維持させるなどの機能性を向上させることができる。
【０００９】
また、本発明は、請求項２、１２に記載されるように、前記切り替え装置及び前記空気ポンプに電力を提供する電力ユニットを有する構成としてもよい。
【００１０】
このような減圧容器では、電力ユニットにより切り替え装置及び空気ポンプに電力を提供することにより、効率的に容器内の圧力を低くすることができる。
【００１１】
また、本発明は、請求項３、１３に記載されるように、前記電力ユニットは、ワイヤで前記空気ポンプと交流電源との間に接続される構成としてもよい。
【００１２】
このような減圧容器では、電力ユニットがワイヤで空気ポンプと交流電源との間に接続されることにより、効率的に空気ポンプに電力を提供することができる。
【００１３】
また、本発明は、請求項４、１４に記載されるように、前記交流電源と前記空気ポンプとの間に設けられた一つのコネクターを有する構成としてもよい。
【００１４】
このような減圧容器では、交流電源と空気ポンプとの間に設けられた一つのコネクターを有することにより、効率的に空気ポンプに電力を提供することができる。
【００１５】
また、本発明は、請求項５、１５に記載されるように、前記電力ユニットは、移動可能なように前記カバーに設置され、前記電力ユニットは、直流を採用する構成としてもよい。
【００１６】
このような減圧容器では、電力ユニットは、移動可能なようにカバーに設置され、直流を採用することにより、効率的に電力を提供することができる。
【００１７】
また、本発明は、請求項６、１６に記載されるように、前記カバーは、一つの空間を有し、前記切り替え装置及び前記空気ポンプを収容する構成としてもよい。
【００１８】
このような減圧容器では、カバーは一つの空間を有し、切り替え装置及び空気ポンプを収容することにより、効率的に電力を提供することができると共に、手間や時間をかけることなく容器内の圧力を低くすることができる。
【００１９】
また、本発明は、請求項７に記載されるように、前記第一圧力値及び前記第二圧力値を入力する入力装置を有する構成としてもよい。
【００２０】
また、本発明は、請求項１７に記載されるように、前記所定の圧力値を入力する入力装置を有する構成としてもよい。
【００２１】
このような減圧容器では、第一圧力値及び第二圧力値又は所定の圧力値を入力する入力装置を有することにより、ユーザーが任意に圧力値を設定でき、容器内の圧力を確認することができる。
【００２２】
また、本発明は、請求項８、１８に記載されるように、前記入力装置は、前記桶に保存される物品の名称を入力する構成としてもよい。
【００２３】
このような減圧容器では、入力装置は桶に保存される物品の名称を入力することにより、ユーザーが入力した物品に対応した圧力値を設定でき、容器内の圧力を確認することができる。
【００２４】
また、本発明は、請求項９に記載されるように、容器内の圧力を低くする減圧容器において、一つの空間と一つの開放端を有する桶と、前記開放端を閉じることができ、前記空間を密封させるカバーと、前記空間から気体を抜く空気ポンプと、前記空気ポンプのＯＮ、ＯＦＦを制御する圧力起動式の切り替え装置とを有し、前記切り替え装置は、前記カバーの開閉動作で招いた圧力差異を検知し、前記空気ポンプを起動して前記空間から気体を抜き、前記空間における内圧が所定の圧力値より小さい状態を検知したとき、前記空気ポンプを停止する構成とされる。
【００２５】
このような減圧容器では、一つの空間と一つの開放端を有する桶と、開放端を閉じることができ、空間を密封させるカバーと、空間から気体を抜く空気ポンプと、空気ポンプのＯＮ、ＯＦＦを制御する圧力起動式の切り替え装置とを有し、切り替え装置は、カバーの開閉動作で招いた圧力差異を検知し、空気ポンプを起動して空間から気体を抜き、空間における内圧が所定の圧力値より小さい状態を検知したとき、空気ポンプを停止することにより、手間や時間をかけることなく容器内の圧力を低くすることができると共に、所定の圧力を長時間維持させるなどの機能性を向上させることができる。
【００２６】
また、本発明は、請求項１０に記載されるように、前記切り替え装置は、圧力値差異タイプの圧力感知伝送器及び制御チップを有し、前記圧力感知伝送器は、前記空間まで伸ばされたセンサーを有し、該センサーにより前記空間の内圧を検知し、参考圧力と前記内圧との間の差異とに対応する電圧を前記制御チップへ出力する構成としてもよい。
【００２７】
このような減圧容器では、切り替え装置は圧力値差異タイプの圧力感知伝送器及び制御チップを有し、圧力感知伝送器は空間まで伸ばされたセンサーを有し、該センサーにより空間の内圧を検知し、参考圧力と前記内圧との間の差異とに対応する電圧を制御チップへ出力することにより、効率的に容器内の圧力を低くすることができる。
【００２８】
また、本発明は、請求項１１に記載されるように、前記参考圧力は大気圧である構成としてもよい。
【００２９】
このような減圧容器では、参考圧力を大気圧とすることにより、効率的に容器内の圧力を低くすることができる。
【００３０】
また、本発明は、請求項１９に記載されるように、前記カバーは、前記空気ポンプ及び前記切り替え装置を搭載した一枚の密封板を有し、前記密封板は、前記空間を通過する第一貫通孔と第二貫通孔と、前記第一貫通孔を通過して前記空間まで伸ばされた第一気密パイプと、前記空気ポンプから前記第一貫通孔を通過して前記空間まで伸ばされた一本の空気パイプと、前記第二貫通孔を通過して前記空間まで伸ばされた第二気密パイプとを有する構成としてもよい。
【００３１】
このような減圧容器では、カバーは空気ポンプ及び切り替え装置を搭載した一枚の密封板を有し、密封板は空間を通過する第一貫通孔と第二貫通孔と、第一貫通孔を通過して空間まで伸ばされた第一気密パイプと、空気ポンプから第一貫通孔を通過して空間まで伸ばされた一本の空気パイプと、第二貫通孔を通過して空間まで伸ばされた第二気密パイプとを有することにより、容器を密閉し、所定の圧力を長時間維持させることができる。
【００３２】
また、本発明は、請求項２０に記載されるように、前記密封板は、前記第一貫通孔を囲う第一桶形壁と、前記第二貫通孔を囲う第二桶形壁とを有し、前記第一桶形壁は、前記空気ポンプに設けられた雄ねじに噛み合う第一雌ねじを有し、前記第二桶形壁は、前記切り替え装置に設けられた雄ねじに噛み合う第二雌ねじを有する構成としてもよい。
【００３３】
このような減圧容器では、密封板は第一貫通孔を囲う第一桶形壁と第二貫通孔を囲う第二桶形壁とを有し、第一桶形壁は空気ポンプに設けられた雄ねじに噛み合う第一雌ねじを有し、第二桶形壁は切り替え装置に設けられた雄ねじに噛み合う第二雌ねじを有することにより、容器を密閉し、所定の圧力を長時間維持させることができる。
【００３４】
また、本発明は、請求項２１に記載されるように、前記切り替え装置は、第一位置と第二位置との間に切り替えられ、前記第一位置では、前記カバーの開閉が圧力の差異を発生することにより前記空気ポンプが自動で前記空間の気体を抜き、前記第二位置では、前記空間における内圧が所定の第二圧力値より大きいとき、前記空気ポンプが起動して前記空間の気体を抜く構成としてもよい。
【００３５】
このような減圧容器では、切り替え装置は、第一位置と第二位置との間に切り替えられ、第一位置では、カバーの開閉が圧力の差異を発生することにより空気ポンプが自動記空間の気体を抜き、第二位置では、空間における内圧が所定の第二圧力値より大きいとき、空気ポンプが起動して空間の気体を抜くことにより、手間や時間をかけることなく容器内の圧力を低くすることができると共に、所定の圧力を長時間維持させるなどの機能性を向上させることができる。
【００３６】
以下に添付図面を参照して本発明のある好適な実施の形態を詳細に説明するが、それらの構成は本発明の構造の絶対的な制限にならない。
【００３７】
【発明の実施の形態】
図１は、本発明の第１実施例に係る減圧容器を示す斜視図である。図２は、本発明の第１実施例に係る減圧容器を示す分解斜視図である。図３は、本発明の第１実施例に係る減圧容器の上部を示す断面図である。図１〜図３に示す減圧容器は、桶１、カバー２０、空気ポンプ２、圧力起動式の切り替え装置３、電力ユニット４などの要素で構成される。
【００３８】
桶１は、クローズド底端及び開放の上端を含むため、空間１１を形成し、保存する物品を内部に収容する。カバー２０は、桶１の開放端に付けられ、空間１１を密封する。また、カバー２０は、図３に示すように、密封板２８を取付け板として利用している。密封板２８は、空間１１を密封するだけでなく、基部として空気ポンプ２、圧力起動式の切り替え装置３、電力ユニット４が載せられている。密封板２８、向かい合う２面が平行になる第一壁２２及び向かい合う２面が平行になる第二壁２３は、空間２１内に設けられる。図２に示すように、電池台座２４は密封板２８の上に形成される。第一壁２２には、二つの長い孔２２１が設けられ、第二壁２３には、二つの長い孔２３１が設けられている。また、密封板２８には、第一貫通孔２５、第二貫通孔２６とが設けられている。第一貫通孔２５、第二貫通孔２６は、桶１の空間１１まで連通するように形成されている。これら第一貫通孔２５、第二貫通孔２６については以下で詳述する。
【００３９】
空気ポンプ２は、殻体３０、殻体３０の底面から伸ばされる一本の空気パイプ３１を含む。殻体３０は、２つの側面を有する。これらの側面毎に、二つの噛み合い体３２を具有し、相関の壁２２の長い孔２２１に噛み合うことにより、空気ポンプ２をカバー２０の空間２１にセットさせる。気密パイプ３３は、第一貫通孔２５を通過する。空気パイプ３１は、図３に示すように、気密パイプ３３の中に挿入され、密封板２８の下に配置される。尚、密封の効果を向上させるために、桶１の上面と密封板２８の間に、更に密封板２９を追加してもよい。
【００４０】
圧力起動式の切り替え装置３は殻体４０、殻体４０に設ける圧力値差異タイプの圧力感知伝送器４４、制御チップ４６（雌コネクター１０４、雄コネクター１０６で接合され、電気導通のように空気ポンプ２に接続される。）を含む。圧力感知伝送器４４はセンサー４８を有し、下へ向かって伸ばされ、殻体４０を超過する。また、殻体４０は、２つの側面を含む。これらの側面毎に、二つの噛み合い体４１を具有し、第二壁２３の長い孔２３１に噛み合うことにより、圧力起動式の切り替え装置３がカバー２０の空間２１に設置される。気密パイプ４２は、図３に示すように、第一貫通孔２６の中に挿入され、センサー４８は気密パイプ４２の中に挿入され、密封板２８の下に配置される。
【００４１】
電力ユニット４は、カバー２０の中の電池台座２４に設置され、圧力起動式の切り替え装置３、空気ポンプ２に電力を提供する。電力ユニット４は、直流電源（ＤＣ）である。
【００４２】
圧力感知伝送器４４は、基準となる参考圧力と桶１の空間１１の内圧との間の差異を測定し、その差異に対応する電圧を出力する。この圧力感知伝送器４４の出力電圧は圧力差異とリニア比例になる。内圧が第一臨界圧力値（例えば、１．１５大気圧）に等しければ、出力電圧は３．３Ｖであり、測る内圧が第二臨界圧力値（例えば、０．１大気圧）に等しければ、出力電圧は１．２Ｖであり、測る内圧が第三臨界圧力値（例えば、０．２５大気圧）に等しければ、出力電圧は１．５Ｖである。
【００４３】
制御チップ４６には制御のプログラムが記録される。また、二つのロジック制御モジュールＭ１、Ｍ２を持ち、切り替え装置に切り替えられる。制御モジュールＭ１へ切り替えると、圧力感知伝送器４４の出力電圧が３．３Ｖより大きければ、又は等しければ空気ポンプ２を起動する。圧力感知伝送器４４の出力電圧が１．２Ｖより小さければ、又は等しければ空気ポンプ２を停止する。制御モジュールＭ２へ切り替えると、圧力感知伝送器４４の出力電圧が１．５Ｖより大きければ、又は等しければ、空気ポンプ２を起動する。圧力感知伝送器４４の出力電圧が１．２Ｖより小さければ、又は等しければ、空気ポンプ２を停止する。
【００４４】
図４は、本発明の第１実施例に係る減圧容器をカバーで締める動作を示す断面図である。図５は、本発明の第１実施例に係る減圧容器をカバーで締められた状態を示す断面図である。減圧容器の圧力を低くする時、先ず、図２に示す切り替え装置４５を制御モジュールＭ１へ切り替える。次に、カバー２０を桶１に取り付けて桶１を閉じる。カバー２０を閉じている時（つまり、カバー２０を桶１０と相対的に、下へ向かって移動させる時）に、桶１の空間１１の空気が圧縮されるため、１．１５大気圧より大きい瞬間圧力が発生する。圧力起動式の切り替え装置３の圧力感知伝送器４４は、その圧力を測定し、測定された圧力が３．３Ｖより大きい電圧を出力させる。従って、制御チップ４６の制御で空気ポンプ２を起動させ、桶１の空気を抜くと桶１の圧力が段々下げられる。即ち、桶１は真空に近い状態に近づく。桶１の圧力が０．１大気圧に等しければ、又は小さければ、圧力感知伝送器４４の出力電圧が１．２Ｖより小さいため、空気ポンプ２を停止する。
【００４５】
減圧容器の圧力を低くした後で、切替え装置４５を制御モジュールＭ２へ切り替える。桶１内に周囲の空気が入り、圧力が高くなると、圧力感知伝送器４４がその圧力を測定する。桶１の圧力が０．２５大気圧に等しければ、又は大きければ、１．５Ｖより大きい電圧を出力して空気ポンプ２を起動させる。桶１の圧力が０．１大気圧に等しければ、又は小さければ、圧力感知伝送器４４は１．２Ｖより小さい出力電圧を出力して空気ポンプ２を停止する。従って、桶１の気圧を約０．１大気圧に保持することができる。
【００４６】
切替え装置４５及び制御モジュールＭ１、Ｍ２を簡易化するようにしてもよい。例えば、制御モジュールＭ１がＯＦＦ、制御モジュールＭ２がＯＮとなる。特に、制御モジュールＭ２の場合に、圧力感知伝送器４４を用い、制御モジュールＭ１の場合、圧力感知伝送器４４を停止する。減圧容器の圧力を減圧する時に、ユーザーはカバー２０を桶１に付けて、カバー２０を位置決めると制御モジュールＭ２へ切り替える。桶１の圧力が０．２５大気圧に等しければ、又は大きければ、空気ポンプ２を起動する。桶１の圧力が０．１大気圧に等しければ、又は小さければ、空気ポンプ２を停止する。
【００４７】
図６は、本発明の第２実施例に係る減圧容器を示す斜視図である。カバー２０には、桶１の気圧を表示するための表示装置５０（例えばＬＣＤ（ＬｉｑｕｉｄＣｒｙｓｔａｌ　Ｄｉｓｐｌａｙ））が設けられている。また、カバー２０に、入力装置５２を追加しても良いし、桶１に保存する物品への必要な圧力を入力することができる。ユーザーは第二臨界値（上述の実施例において、０．１大気圧）を任意値へ変更することも可能である。入力装置５２を経由して、桶１に保存される物品の名称を入力することも可能である。
【００４８】
図７は、本発明の第３実施例に係る減圧容器を示す分解斜視図である。図７に示す減圧容器は、桶５、カバー６０、空気ポンプ６、圧力起動式の切り替え装置７、電力ユニット８などの要素で構成されている。桶５は、クローズド底端及び開放の上端を含むため、空間５１を形成し、保存する物品を内部に収容する。カバー６０は、桶５の開放端に付けられ、空間５１を密封する。また、カバー６０は、図３に示すように、密封板６８を取付け板として利用している。密封板６８は、空間５１を密封するだけでなく、基部として空気ポンプ６、圧力起動式の切り替え装置７、電力ユニット８が載せられている。密封板６８、環形電池台座６２、桶形壁６３が空間６１を形成する。また、第二桶形壁６４は密封板６８の上に形成される。環形電池台座６２は、台座を形成して電力ユニット８を収容する。密封板６８には、第一貫通孔６５、第二貫通孔６６が加工され、第一桶形壁６２が第一貫通孔６５を囲い、第二桶形壁６４が第一貫通孔６６を囲い、第一貫通孔６５、第二貫通孔６６は桶５の空間５１まで連通する。
【００４９】
空気ポンプ６は、殻体７０、殻体７０の底面から伸ばされる一本の空気パイプ７１とを有する。殻体７０の表面に、雄ねじ７２があり、第一桶形壁６３の雌ねじ６３１に噛み合って、空気ポンプ６を第一桶形壁６３に設置される。気密パイプ７４は、第一貫通孔６５を通過する。空気パイプ７１は、気密パイプ７４の中に挿入され、密封板６８の下に配置される。尚、密封の効果を向上させるために、桶５の上面と密封板６８との間に、更に密封板６９を追加してもよい。
【００５０】
圧力起動式の切り替え装置７は殻体８０、殻体８０に設ける圧力値差異タイプの圧力感知伝送器８４、制御チップ８６を含む。圧力感知伝送器８４は、センサー８８を有し、下へ向かって伸ばされ、殻体８０を超過する。殻体８０の表面に、雄ねじ８１があり、第二桶形壁６４の雌ねじに噛み合って、圧力起動式の切り替え装置７をカバー６０の空間６１に設置される。気密パイプ８７は、図３に示すように、第一貫通孔６６の中に挿入され、センサー８８は気密パイプ８７の中に挿入され、密封板６８の下に配置される。電力ユニット８は、カバー６０の中の電池台座６２に設置され、圧力起動式の切り替え装置７、空気ポンプ６に電力を提供する。
【００５１】
圧力起動式の切り替え装置７には、端子８２を有し、空気ポンプ６には、端子７３を有する。密封板６８において、保留するパスがあるので、電池台座６２には、端子８２、７３の間で電気接続を行うことができる。尚、図７に示す減圧容器の動作方式は図１〜図５の第一実施例の動作と同じであるため、説明を省略する。
【００５２】
図８は、本発明の第４実施例に係る減圧容器を示す斜視図である。図８において、減圧容器は、交流電源（ＡＣ）を採用する点で、図１〜図７に示す減圧容器と異なる。
【００５３】
図９は、本発明の第５実施例に係る減圧容器を示す分解斜視図である。減圧容器は桶１、カバー２０、空気ポンプ２、圧力起動式の切り替え装置３、電力ユニット１０など要素で構成される。電力ユニット１０は、ワイヤ１００で空気ポンプ２と交流電源（図示せず）とが接続される。電力ユニット１０は、空気ポンプ２及び圧力起動式の切り替え装置３を起動する。コネクター１０２は交流電源と空気ポンプ２との間に接続される。尚、図９に示す減圧容器の動作方式は図１〜図５の第一実施例の動作と同じであるため、説明を省略する。
【００５４】
図１０は、本発明の第６実施例に係る減圧容器を示す分解斜視図である。図１０において、減圧容器は桶５、カバー６０、空気ポンプ６、圧力起動式の切り替え装置７、電力ユニット１０などの要素で構成されている。電力ユニット１０はワイヤ１００で、空気ポンプ６と交流電源（図示せず）との間に接続される。電力ユニット１０は、空気ポンプ６及び圧力起動式の切り替え装置７を起動する。
コネクター１０２は、交流電源と空気ポンプ６との間に接続される。尚、図１０に示す減圧容器の動作方式は図１〜図５の第一実施例の動作と同じであるため、説明を省略する。
【００５５】
このように、上記減圧容器は、一つの空間と一つの開放端を有する桶１と、開放端を閉じることができ、空間を密封させるカバー２０と、空間から気体を抜く空気ポンプ２と、空気ポンプ２のＯＮ、ＯＦＦを制御する圧力起動式の切り替え装置３とを有し、切り替え装置３は、空間における内圧を検知し、該内圧が所定の第一圧力値より大きいときに空気ポンプを起動させ、内圧が所定の第二圧力より小さいときに空気ポンプ２を停止し、第二圧力値は第一圧力値より小さくすることにより、手間や時間をかけることなく容器内の圧力を容易に低くすることができ、所定の圧力を長時間維持させるなどの機能性を向上させることができる。
【００５６】
また、入力装置から第一圧力値及び第二圧力値又は所定の圧力値を入力し、桶に保存される物品の名称を入力することにより、ユーザーが任意に圧力値を設定できると共に、容器内の圧力を確認することができる。
【００５７】
尚、上記減圧容器は上記構成に限定されることなく、類似の改良、変形、修飾において、上記の減圧容器の構造に適応可能である。
【００５８】
【発明の効果】
このように減圧容器において、一つの空間と一つの開放端を有する桶と、開放端を閉じることができ、空間を密封させるカバーと、空間から気体を抜く空気ポンプと、空気ポンプのＯＮ、ＯＦＦを制御する圧力起動式の切り替え装置とを有し、切り替え装置は、空間における内圧を検知し、該内圧が所定の第一圧力値より大きいときに空気ポンプを起動させ、内圧が所定の第二圧力より小さいときに空気ポンプを停止し、第二圧力値は第一圧力値より小さくすることにより、手間や時間をかけることなく容器内の圧力を容易に低くすることができ、所定の圧力を長時間維持させるなどの機能性を向上させることができる。
【００５９】
また、このような減圧容器において、第一圧力値及び第二圧力値又は所定の圧力値を入力する入力装置を有することにより、ユーザーが任意に圧力値を設定でき、容器内の圧力を確認することができる。
【図面の簡単な説明】
【図１】本発明の第１実施例に係る減圧容器を示す斜視図である。
【図２】本発明の第１実施例に係る減圧容器を示す分解斜視図である。
【図３】本発明の第１実施例に係る減圧容器の上部を示す断面図である。
【図４】本発明の第１実施例に係る減圧容器をカバーで締める動作を示す断面図である。
【図５】本発明の第１実施例に係る減圧容器をカバーで締められた状態を示す断面図である。
【図６】本発明の第２実施例に係る減圧容器を示す斜視図である。
【図７】本発明の第３実施例に係る減圧容器を示す分解斜視図である。
【図８】本発明の第４実施例に係る減圧容器を示す斜視図である。
【図９】本発明の第５実施例に係る減圧容器を示す分解斜視図である。
【図１０】本発明の第６実施例に係る減圧容器を示す分解斜視図である。
【符号の簡単な説明】
１、５　　　　　　　桶
２、６　　　　　　　空気ポンプ
３、７　　　　　　　切り替え装置
４、８、１０　　　　電力ユニット
１１、２１、５１、６１　　空間
２０、６０　　　　　カバー
２２　　　　　　　　第一壁
２３　　　　　　　　第二壁
２４、６２　　　　　電池台座
２５、６５　　　　　第一貫通孔
２６、６６　　　　　第二貫通孔
２８、２９、６８、６９　　密封板
３０、４０、７０　　殻体
３１、７１　　　　　空気パイプ
３２、４１　　　　　噛み合い体
３３、４２、７４、８７　　気密パイプ
４４、８４　　　　　圧力感知伝送器
４５　　　　　　　　切り替え装置
４６　　　　　　　　制御チップ
４８　　　　　　　　センサー
５０　　　　　　　　表示装置
５２　　　　　　　　入力装置
６３　　　　　　　　第一桶形壁
６４　　　　　　　　第二桶形壁
７２　　　　　　　　雄ねじ
７３、８２　　　　　端子
８４　　　　　　　　圧力感知伝送器
８８　　　　　　　　センサー
１００　　　　　　　ワイヤ
１０２　　　　　　　コネクター
１０４　　　　　　　雌コネクター
１０６　　　　　　　雄コネクター
２２１、２３１　　　長い孔
６３１　　　　　　　雌ねじ
【図１】
2004131127.tif 000003
【図２】
2004131127.tif 000004
【図３】
2004131127.tif 000005
【図４】
2004131127.tif 000006
【図５】
2004131127.tif 000007
【図６】
2004131127.tif 000008
【図７】
2004131127.tif 000009
【図８】
2004131127.tif 000010
【図９】
2004131127.tif 000011
【図１０】
2004131127.tif 000012